(57)【要約】【課題】マルチメディア情報装置からのプリント出力あるいはデータ転送を行う場合の操作を簡略するデータ出力方法を提供する。【解決手段】静止画像、線画像及び音声データを生成、出力するマルチメディア情報装置からのデータ出力方法において、出力指示された静止画像、線画像または音声データの他のデータとの組み合わせを判断し、この判断において、他のデータとの組み合わせの関連のあるデータが単独で出力指示された時、警告を表示する。【選択図】図６
2008092592.tif 000002
【特許請求の範囲】
【請求項１】
静止画像、線画像、音声データのうちの２つのデータを出力するマルチメディア情報装置からのデータ出力方法において、出力指示された静止画像、線画像または音声データの他のデータとの組み合わせを判断し、該判断において、他のデータとの組み合わせの関連のあるデータが単独で出力指示された時、警告することを特徴とするマルチメディア情報装置のデータ出力方法。
【請求項２】
請求項１において、前記出力指示がプリンタへの線画像の出力指示である場合、静止画像との組み合わせを判断し、該静止画像との組み合わせがない場合に、単独でプリンタに該線画像を出力することを特徴とするマルチメディア情報装置のデータ出力方法。
【請求項３】
請求項２において、更に、組み合わせ関連のある静止画像とともに線画像の出力指示がある場合、該静止画像に重ねて該線画像をプリンタに出力することを特徴とするマルチメディア情報装置のデータ出力方法。
【請求項４】
請求項１において、前記出力指示が、外部への転送指示であって、転送指示されたデータの少なくとも静止画像または、線画像との組み合わせの有無を判断し、該組み合わせがない場合に転送指示されたデータを単独で転送処理を行い、又、該組み合わせがある場合は、警告を表示して該転送指示されたデータ単独での転送処理を禁止することを特徴とするマルチメディア情報装置のデータ出力方法。
【請求項５】
撮像素子と、該撮像素子により生成される静止画像を表示し、且つ線画像を入力可能な表示素子と、音声入力手段と、該表示素子に、ファイルごとに組み合わせを構成する該撮像素子より得られる静止画像、線画像及び該音声入力手段から入力される音声をマーク表示し、且つ該表示される組み合わせと異なる出力指示がされる場合に警報を表示する制御手段を有することを特徴とするマルチメディア情報装置。
【請求項６】
請求項５において、前記表示素子は、前面に入力タブレット板を有する液晶表示素子であって、該液晶表示素子に表示されるファイルごとに組み合わせを構成する静止画像、線画像及び音声のマーク表示を指示することにより対応する静止画像、線画像また音声の出力を指示することを特徴とするマルチメディア情報装置。
【請求項７】
静止画データ、線画像データ、音声データのうち２つのデータを出力するマルチメディア情報装置において、前記データの出力指示する出力指示手段と、前記出力指示手段により出力指示されたデータが他のデータと関連があるかを判断する判断手段と、前記判断手段により出力指示されたデータが他のデータと関連があると判断されたときに警告する警告手段とを備えたことを特徴とするマルチメディア情報装置。
【発明の詳細な説明】
【技術分野】
【０００１】
本発明は、静止画像、線画像及び音声のマルチメディアデータを生成、出力するマルチメディア情報装置に関し、特に撮像素子による映像データ入力機能に加え、線画像及び音声データの入力機能を有する装置からの静止画像、線画像及び音声のマルチメディアデータの出力方法に関する。
【背景技術】
【０００２】
近年、撮像装置として銀塩フィルムを用いたカメラに加え、電荷結合素子を撮像素子として用い被写体像をデジタル画像として撮影可能の電子撮像装置が開発され広く普及しつつある。
【０００３】
更に、かかる電子撮像装置に線画像、音声データをも入力可能とする機能を加えた携帯型のマルチメディア装置が開発されている。かかるマルチメディア装置において、線画あるいは、音声データが、撮影画像データと独立に入力される場合と、線画像あるいは、音声データを撮影画像に関連づけてメモ的に入力される場合とがある。
【０００４】
線画像あるいは、音声データを撮影画像データに関連づけて入力される場合は、同一のファイルに構成されることが後の利用に便利である。
【０００５】
しかるに、マルチメディア装置に入力された撮影画像データ及び線画像をプリンタに出力したり、音声データを加えて他のパーソナルコンピュータ等に転送する場合は、撮影画像データと、線画像及び音声データの関連の有無を判断することが重要である。
【０００６】
即ち、撮影画像データに関し、線画像をメモ的に入力した場合は、これらを同時にプリント出力できる様に出力指示を行うことが必要である。また、撮影画像データに関し、関連する線画像及び音声を入力している場合であって、他の装置に転送する場合は、これらを一体に転送することが必要である。
【０００７】
しかし、操作者がこれらの関係を判断し、装置に対しプリント指示あるいはデータ転送指示を行うことは、操作が複雑となり、誤動作を生じる可能性が高くなる。
【発明の開示】
【発明が解決しようとする課題】
【０００８】
したがって、本発明の目的はマルチメディア情報装置からのプリント出力あるいはデータ転送を行う場合の操作を簡略するデータ出力方法を提供することにある。
【０００９】
さらに、本発明の目的は、マルチメディア情報装置からのプリント出力あるいはデータ転送を行う場合、関連性のあるデータの一部のデータのみのプリント出力又は、転送指示が操作者から行われる場合に警告を発して、正しい指示入力を促すことが可能のマルチメディア情報装置のデータ出力方法及びこれを用いたマルチメディア情報装置を提供することにある。
【課題を解決するための手段】
【００１０】
上記本発明の目的を達成するマルチメディア装置のデータ出力方法は、静止画像、線画像及び音声データを生成、出力するマルチメディア情報装置からのデータ出力方法であって、出力指示された静止画像、線画像または音声データの他のデータとの組み合わせを判断し、この判断において、他のデータとの組み合わせの関連のあるデータが単独で出力指示された時、警告を表示することを特徴とする。このように、操作者の出力指示の誤りに対し、警告表示を行うことにより、迅速な出力指示の訂正を行うことが可能である。
【００１１】
更に、上記に加え、前記出力指示がプリンタへの線画像の出力指示である場合、静止画像との組み合わせを判断し、静止画像との組み合わせがない場合に、単独でプリンタに線画像を出力することを特徴とする。また、組み合わせ関連のある静止画像とともに線画像の出力指示がある場合、該静止画像に重ねて該線画像をプリンタに出力することを特徴とする。これにより静止画像に対し、メモ書き等として記入された線画像のみが出力されることが防止される。
【００１２】
更に、前記出力指示が、外部への転送指示であって、転送指示されたデータの少なくとも静止画像または、線画像との組み合わせの有無を判断し、この組み合わせがない場合に転送指示されたデータを単独で転送処理を行い、又、組み合わせがある場合は、警告を表示して転送指示されたデータ単独での転送処理を禁止する様に構成される。プリンタへの出力以外に、外部機器にデータを転送する場合は、音声も転送可能であるが、かかる音声と組み合わされる静止画像あるいは線画像がある場合は、音声のみの転送処理が禁止される。
【００１３】
更に、上記本発明の目的を達成するデータ出力方法を提供するマルチメディア情報装置は、撮像素子と、撮像素子により生成される静止画像を表示し、且つ線画像を入力可能な表示素子と、音声入力手段と、表示素子に、ファイルごとに組み合わせを構成する静止画像、線画像及び音声をマーク表示し、且つ表示される組み合わせと異なる出力指示がされる場合に警報を表示する制御手段を有する。
【００１４】
また、前記表示素子は、前面に入力タブレット板を有する液晶表示素子であって、該液晶表示素子に表示されるファイルごとに組み合わせを構成する静止画像、線画像及び音声のマーク表示を指示することにより対応する静止画像、線画像また音声の出力を指示することを特徴とする。
【発明の効果】
【００１５】
以上図面に従い説明したように、本発明はマルチメディア情報処理装置からのプリント出力あるいはデータ転送を行う場合、関連性のあるデータの一部のデータのみのプリント出力又は、転送指示が操作者から行われる場合に警告を発して正しい指示入力促すことが可能である。
【００１６】
これにより正しい指示入力を直ちに行うことが出来る。従って、本発明によりマルチメディア情報処理装置においてより簡便な出力指示を行うことが可能である。
【発明を実施するための最良の形態】
【００１７】
以下、本発明の実施の形態を図面に従い説明する。尚、図において同一又は類似のものには同一の参照番号又は参照記号を付して説明する。
【００１８】
図１は本発明を適用したマルチメディア情報装置としての電子カメラの斜視図であり、特に電子カメラ１を裏面２から見た図である。
【００１９】
図１において電子カメラ１の裏面２には、ファインダ３が設けられる。図示しない前面側に電子カメラ１の撮影レンズが備えられ、この撮影レンズを通して入射する被写体像がファインダ３で観察される。
【００２０】
電子カメラ１の裏面２にはＬＣＤで構成される表示素子６が搭載され、その周囲に操作キー４が設けられている。
【００２１】
操作キー４は複数の操作キーで構成され、メニュー選択を行うメニュー４０、処理の実行及び入力データの確認を行う実行キー４１、入力データのクリアキー４２及び、作業の取り消しを指示する取り消しキー４３を有する。更に、表示素子６の画面を上下方向にスクロールする指示を行うスクロールキー４４を有する。
【００２２】
ＬＣＤ表示素子６の上面にはガラス、樹脂等の透明の材料によって構成されるタブレット６０が形成されている。このタブレット６０を指又はペンシルで触れることにより入力が可能である。
【００２３】
更に、図１において、マイクロフォン７が設けられ、録音スイッチ５０を押してる時間中、マイクロフォン７から音声が入力可能である。音声の入力あるいは音声の再生の過程において、イヤフォンジャック８に挿入される図示しないイヤフォンにより音声の確認が可能である。更に、スピーカー５により音声を確認することができる。
【００２４】
更に電子カメラ１には入出力コネクタ９が設けられてる。この入出力コネクタ９を通して後に説明するように本発明に従う出力方法により、撮像素子により撮像された静止画像、マイクロフォン７から入力された音声あるいは、タブレット６０により入力された線画像を出力することが可能である。
【００２５】
図２は更に本発明に従うマルチメディア情報装置としての図１に示す電子カメラ１の電子回路の構成ブロック図である。図２において、構成される各機能ブロックはバスＢＵＳを介して相互に接続されている。
【００２６】
撮像光学系３０は電子カメラ１の前面に搭載される撮影レンズ及び絞り等を含めた光学系である。撮像光学系３０を通して入射される被写体の光像は電荷結合素子（ＣＣＤ）３１に入力される。ＣＣＤ３１において、光／電変換が行われ、入射する光の量に応じた電気信号が出力され、画像処理部３２に画像信号として入力される。
【００２７】
画像処理部３２は、先ずＣＣＤ３１から入力される画像信号をサンプリングする。サンプリングされた画像信号は更に、画像処理部３２を構成するＡＧＣ回路において、その利得が制御された後にＡ／Ｄ変換回路３３に入力供給される。Ａ／Ｄ変換回路３３でデジタル信号に変換され、ＤＳＰ１２に入力される。
【００２８】
ＤＳＰ１２は、デジタル化された画像信号をバッファメモリ１３に一旦供給し記憶させる。
【００２９】
バッファメモリ１３に記憶された画像信号を離散的コサイン変換、量子化及び、符号化を組み合わせたＪＰＥＧ（Joint Photographic Experts Group) 方式に従って圧縮する。その後、圧縮された画像信号をバスＢＵＳを通して、後に説明するように本発明に従い、例えばメモリカード１４に供給する。
【００３０】
メモリカード１４は、ＤＳＰ１２から供給された画像データを画像記憶領域に記憶する。この時、メモリカード１４の画像記録領域には、撮影データとして例えば、画像信号にヘッダ情報として付加記録される。
【００３１】
以上説明した電子カメラ１としての撮像光学系３０を通して入射される被写体像を電気信号に変換してメモリカード１４に記憶する機能は、ＣＰＵ１０によりＲＯＭ１１に格納される制御プログラムに従い実行制御される。
【００３２】
ＣＰＵ１０には更に表示素子６の上面に配置されるタッチタブレット６０からの入力、更に操作キー４から入力のキー入力信号が入力される。
【００３３】
タッチタブレット６０には、例えば、ペンシル型の指示装置６１を用いて、文字、線画等の二次元の情報が入力される。即ち、タッチタブレット６０にペン型指示装置６１のペン先を接触させると、接触した箇所のＸ、Ｙ座標に対応するデータがＣＰＵ１０に供給される。ＣＰＵ１０はこのＸＹ座標に対応するデータに基づいて、フレームメモリ１５の上記ＸＹ座標に対応する位置に、例えば所定の大きさの点に対応する画像データを書き込む。これにより、ＬＣＤ表示素子６上の対応する位置に、所定の大きさの点が表示される。
【００３４】
上記したようにＬＣＤ表示素子６の表面上に形成されているタッチタブレット６０はガラス、透明樹脂等の透明部材によって構成されている。これにより、操作者は、ＬＣＤ表示素子６上のペン型指示装置４６のペン先でタッチタブレット６０を押圧した位置に表示される点を観察することができ、あたかもＬＣＤ表示素子６上に直接ペン入力をしたかのように感じることが出来る。
【００３５】
更にペン型指示装置６１をタッチタブレット６０に接触しながら移動させるとＬＣＤ表示素子６上にはペン型指示装置６１が移動した軌跡に沿って線が表示される。更にペン型指示装置６１をタッチタブレット６０上で断続的に移動させると、ＬＣＤ表示素子６上にはペン型指示装置６１の移動に伴って破線が表示される。
【００３６】
以上のようにして操作者は、タッチタブレット６０、及びＬＣＤ表示素子６を用いて所望の文字、図形等の線画データを入力することができる。
【００３７】
更にＬＣＤ表示素子６上に画像が表示されている場合において、ペン型指示装置６１によって例えば文字等の線画情報が入力されると、この線画情報がフレームメモリ１５で合成され、画像情報とともにＬＣＤ表示素子６上に同時に表示される。
【００３８】
ペン型指示装置６１とタッチタブレット６０による線画情報の入力も、操作キー４の実行キー４１が押下されるとフレームメモリ１５に一旦蓄積されている線画情報がＤＳＰ１２によって圧縮されたのち、他のヘッダー情報と共にバスＢＵＳを介してメモリカード１４に供給され、メモリカード１４の線画情報記憶領域に記録される。
【００３９】
ここで、画像処理部３２は、相間二重サンプリング回路（以下ＣＤＳという）及びＡＧＣ（自動利得制御回路）等により構成される。ＣＤＳはＣＣＤ３１が光電変換した画像信号を所定のサンプリングでサンプリングするように機能する。ＡＧＣはＣＤＳによりサンプリングされた信号の利得を制御するように機能する。
【００４０】
Ａ／Ｄ変換回路３３は，画像処理部３２のＣＤＳによってサンプリングされた画像信号をデジタル化してＤＳＰ１２に供給する。ＤＳＰ１２は、デジタル化された画像データをバッファメモリ１３に一旦供給し記録させる。そしてバッファメモリ１３に記録されたデータを読み出し、例えばＪＰＥＧ方式等で圧縮した後、データバスＢＵＳを介して、メモリカード１４に供給し、所定の記憶領域に記録させるように構成される。
【００４１】
更に図２においてマイクロフォン７は音声を入力し、その音声に対応する音声信号をＡ／Ｄ＆Ｄ／Ａ変換回路１６に供給するように構成される。Ａ／Ｄ＆Ｄ／Ａ変換回路１６は、マイクロフォン７から供給された音声信号をデジタル音声信号に変更し、ＤＳＰ１２に供給するように構成されている。
【００４２】
ＤＳＰ１２は、Ａ／Ｄ＆Ｄ／Ａ変換回路１６より供給された音声信号を圧縮したのち、メモリカード１４に供給し、所定の音声記録領域に記録させるように機能する。この時、メモリカード１４の音声記録領域には録音日等のデータが音声ヘッダー情報として合わせて記録される。
【００４３】
上記したように、メモリカード１４に記録されるＣＣＤ３１により撮像された静止画像、タッチタブレット６０により入力される線画像及び、マイクロフォン７により入力された音声信号に対し、全て圧縮処理が施される。
【００４４】
ここでタッチタブレット６０によって入力される線画像の圧縮について説明する。線画像は空間周波数成分が高い情報を多く含んでいる。従って上記静止画像の圧縮に用いられるＪＰＥＧ方式によって圧縮処理が行われる場合は、その効率が悪く情報量があまり少なくならない。
【００４５】
即ち、ＪＰＥＧ方式による圧縮は、非可逆圧縮であるので情報量の少ない線画情報の圧縮には適していない。これは伸長してＬＣＤ表示素子６上に表示した場合情報の欠落にともなうギャザー、滲み等が際立ってしまうためである。
【００４６】
従って、タッチタブレット６０より入力される線画情報はファックス等において用いられるランレグス法によって圧縮するようにする。このランレグス法は、線画を水平方向に操作し特定の点の継続の長さ、及び無情報の継続する長さを符号化することにより圧縮する方法である。
【００４７】
このランレグス法を用いることにより線画情報を効率的に圧縮することができ、又圧縮された線画情報を伸長した場合においても、情報の欠落を抑止することが可能になる。
【００４８】
尚、図２において以上説明した各ブロックにおける機能は、ＲＯＭ１１に格納される制御プログラムによりＣＰＵ１０がこれを実行制御して、実現される。
【００４９】
図３は、上記したようなメモリカード１４の音声記録領域、画像記録領域、及び線画情報記録領域に格納されるデータをファイルごとに表示した例であり、ＬＣＤ表示素子６上に一覧表示される。
【００５０】
図３において、ＬＣＤ表示素子６に表示される一覧表示画面はＣＣＤ３１により得られる静止画像６３、マイクロフォン７により入力される音声及びタッチタブレット６０により入力される線画６５をそれぞれファイルごとにマークで存在の有無の表示がなされる。
【００５１】
尚、画像６３の表示の存在を示す部分には、画像のサムネイル画像として縮小表示する事が可能である。この場合は、サムネイル画像から操作者は各ファイルに存在する画像の内容を概略知ることができる。
【００５２】
図３において表示される一覧表示では５つのファイルの内容を示している。
【００５３】
すなわち、ファイル１には静止画像、音声及び線画がそれぞれ備えられていることを示してる。ファイル２は音声情報のみ、ファイル３は静止画像のみ、更にファイル４は静止画像と線画、更にファイル５は音声及び線画が存在することを表示している。
【００５４】
このファイル一覧は、図１に示すスクロールキー４４を操作することにより順次スクロールされて新たなファイルの内容を表示されることが可能である。
【００５５】
図３において一覧表示には更にプリント指示キー６１及びデータ転送指示キー６２が表示される。
【００５６】
ファイル一覧に表示されるマーク及びプリント指示キー６１あるいはデータ転送指示キー６２を指定すると、指定されたマークに対応する情報データがプリントあるいは転送の対象として指示されたことになる。
【００５７】
尚、この際指示する方法としては線画入力と同様にペン型指示装置６１を用い、タッチタブレット６０の対応する一覧の表示される部分にタッチすることにより該当の指示が行われる。
【００５８】
図４は、このようにして情報に対する指示が行われた状態を示している。図４において、ファイル１の静止画及び、ファイル５の線画が指定された状態を示している。
【００５９】
図４に示すようにペン型指示装置６１を用いて該当の位置をタッチタブレット６０の該当位置を接触させると、入力確認として例えば静止画像の枠外に囲み領域６６、更に線画を指示した場合には破線枠６７を表示する。
【００６０】
図５は、後に説明するようにプリント指示に基づき最終的にプリントする静止画と同時に線画をプリントするか否かを確認する画面７０と確認画面７０に対するＹＥＳあるいはＮＯを入力するキー画面７１及び７２が表示素子６に、表示される例である。
【００６１】
図６はプリント指示を行う場合の動作フローである。かかる動作フローは、ＲＯＭ１１に記憶される制御プログラムに基づきＣＰＵ１０により制御される。
【００６２】
ＣＰＵ１０は、入力された指示が静止画のみであるか、静止画及び音声を含むものであるかを判断する（ステップＳ１）。この判断において静止画のみあるいは静止画と音声が指示された場合にはそのままプリント処理が行われる（ステップＳ２）。即ち、音声が指示されていてもプリント処理においては無視される。
【００６３】
ステップＳ１において、静止画のみあるいは静止画と音声以外の入力指示である場合には、次いで静止画と線画の出力指示であるか否かを判断する（ステップＳ３）。
【００６４】
静止画と線画のプリント指示である場合は、これらを重ねる処理が行われる（ステップＳ４）。ここで静止画と線画を重ねる処理（ステップＳ４）は、フレームメモリ１５において静止画と線画のデータを合成することにより行われる。その後プリント処理（ステップＳ２）が行われる。かかる場合は、静止画に対し、線画がメモ情報として静止画と関連付けられている場合が多い。
【００６５】
更に、静止画と線画のプリント指示であるか否かの判断（ステップＳ３）において、ＮＯの場合にはプリント指示されたものが線画であるか否かを判断する（ステップＳ５）。線画である場合には、静止画との関連を判断する（ステップＳ６）。静止画との関連がない場合には、線画のみをプリントする（ステップＳ２）。
【００６６】
線画であるかどうかの判断（ステップＳ５）において線画でないと判断される場合、及び静止画との関連の判断（ステップＳ６）において静止画との関連がある場合には線画のみのプリント処理を禁止すべく警告表示（ステップＳ７）が行われ、プリント処理は行われない。即ち、静止画と関連のある線画は、静止画と共にプリントされてその意味が理解される。したがって、静止画と関連のある線画を線画のみプリントすることを禁止している。
【００６７】
尚、上記においてプリント処理（ステップＳ２）は、フレームメモリ１５からの線画情報あるいは線画情報と静止画情報が重ねられた内容が、インターフェース９０を介してプリンタ９１にデータＢＵＳを通して送られ、プリント出力されることにより実行される。
【００６８】
図７は、データの外部へのデータ転送処理を行う場合の動作フローである。
【００６９】
まず、転送処理の指示がされたものが静止画のみあるいは静止画と線画、静止画と音声、静止画と線画及び音声であるか否か、すなわち静止画が含まれているか否かを判断する（ステップＳ４０）。静止画が含まれている場合にはそのまま転送処理（ステップＳ４１）が行われる。この転送処理において、図２に示すように、インタフェース９０を通して他のパーソナルコンピュータ９２等に送られる。
【００７０】
ステップＳ４０において、静止画が含まれていない場合には、次に線画のみあるいは線画と音声の転送処理が指示されているか否かを判断する（ステップＳ４２）。
【００７１】
ステップＳ４２において、少なくととも線画を含む場合には、静止画との関係の有無を判断する（ステップＳ４３）。静止画との関係がない場合には転送処理（ステップＳ４１）が行われる。静止画との関係がある場合には線画のみの転送を許さず、警告処理（ステップＳ４４）が行われ、静止画との関連のある線画のみの転送が禁止される。
【００７２】
線画あるいは線画と音声の転送指示があるか否かの判断（ステップＳ４２）において、ＮＯの場合には音声のみの転送が指示された場合であり、従って静止画又線画との関係の有無について判断する（ステップＳ４５）。転送指示された音声が静止画又は線画との関係がない場合には音声データの転送処理（ステップＳ４１）が行われ、静止画又は線画との関係がある場合には音声のみの転送を禁止すべく警告処理（ステップＳ４４）が行われる。
【００７３】
上記図６及び図７で説明したように、本発明においてはプリントあるいは転送処理指示の対象となるデータが他のデータとの関連において単独でプリント出力あるいは転送処理の対象とすることが可能か否かの判断を行い、単独でのプリントあるいは転送処理が可能でなければ操作者に対し、警告処理をしてこれを禁止することが可能である。
【００７４】
次に上記のようなプリントあるいは転送処理を指示する方法について、以下に説明する。
【００７５】
図８はプリントあるいは転送処理のいずれが指示されたかの判断フローである。ＣＰＵ１０は、タッチタブレット６０により例えば図３に示すＬＣＤ表示素子６に表示されるデータの一覧表示においてファイルの内容項目と共に表示されるプリント指示キー６１がペン型指示装置６１により指示されているか否かを判断する（ステップＳ１０）。
【００７６】
このプリント指示キー６１が指示されている場合にはプリントのサブルーチン（ステップＳ２０）を行う。プリント指示キー６１が指示されていない場合には、転送サブルーチン（ステップＳ３０）の処理が行われる。
【００７７】
図９は、プリントあるいは転送処理のいずれが指示されたかの、更に別の判断動作フローである。ＣＰＵ１０はプリント指示キー６１あるいは転送指示キー６２のいずれが指定されたかを判断する（ステップＳ１０）。ここで図８の例と同様に、プリント指示キー６１が指定された場合は、プリントサブルーチン（ステップＳ２０）が行われる。また、転送指示キー６２が指定された場合は、転送サブルーチン（ステップＳ３０）が行われる。
【００７８】
図９においては、このプリントサブルーチン（ステップＳ２０）の内容を更にプリント選択制御処理（ステップＳ２１）とプリント処理（ステップＳ２２）により示している。同様に、転送サブルーチン（ステップＳ３０）の内容を更に、転送選択制御処理（ステップＳ３１）と転送処理（ステップＳ３２）により示している。
【００７９】
図１０は、図９に示すプリント選択制御処理（ステップＳ２１）の内容例である。ＣＰＵ１０はＬＣＤ表示素子６に表示される一覧表示においてペン型指示装置６１により接触があるか否かを判断する（ステップＳ２２１）。この接触により、図１０の動作フローが起動される。
【００８０】
次いで、ＣＰＵ１０は、ＬＣＤ表示素子６に表示される一覧表示（図３）においてファイルの番号が指示されたか否かを判断する（ステップＳ２２２）。ファイルの番号が指示されている場合は、対応するファイルに含まれる静止画、線画及び音声の全てが指定されたと同様の状態となる。
【００８１】
ファイルの番号が指示されている場合には、当該指定ファイルに静止画があるか否かを判断する（ステップＳ２２３）。静止画がある場合には、更に線画があるか否かを判断する（ステップＳ２２４）。ステップＳ２２３及びステップ２２４により静止画と線画の両方が存在すると判断される場合は、静止画と線画に図４により説明したように、静止画と線画に確認枠６６、６７が表示される（ステップＳ２２５）。
【００８２】
次に所定時間内に、表示素子６のいずれかの位置にペン型指示装置６１の先端が触れられる（ステップＳ２２６）。これによりＣＰＵ１０は、確認枠６６、６７の表示を固定する。所定時間内にこの動作が行われないときは、さらにステップＳ２２２に戻る。
【００８３】
確認枠６６、６７の表示が固定されると、図１の電子カメラ１の裏面に配置される実行キー４１が押される（ステップＳ２２７）。これにより入力が確定し、プリント処理（ステップＳ２２：図９）の対象となる。
【００８４】
ステップＳ２２３において、静止画が指定されたファイルにない場合は、線画の有無を判断する（ステップＳ２２９）。線画がある場合は線画が縁取りされる（ステップＳ２３２）。ステップＳ２２９において、線画がないと判断される場合は、「選択できません」のメッセージ（ステップＳ２３４）が表示されると共にファイル指定表示が消去される（ステップＳ２３５）。
【００８５】
更に、ステップＳ２２４において、線画がファイルに無い場合は、静止画が縁取りされる（ステップＳ２３６）。
【００８６】
図１０において、更に、ステップＳ２２２においてファイル番号の指示がない場合には個別に指示がされているか否かが判断される。即ち、静止画がマークされているか否かを判断する（ステップＳ２２８）。静止画がマークされている場合には静止画を縁取り処理する（ステップＳ２３６）。静止画が指示されていない場合には線画が指示されているか否かを判断する（ステップＳ２３０）。
【００８７】
線画が指示されている場合、更に静止画との関連を判断する（ステップＳ２３１）。静止画との関連がある場合（ステップＳ２３１、ＹＥＳ）には先に図５に例示したような静止画と共にプリントするか否かの表示を行う（ステップＳ２３３）。静止画と共にプリントするが選択される（ステップＳ２３３、ＹＥＳ）場合は、静止画と線画の縁取りがされる（ステップＳ２２５）。
【００８８】
ステップＳ２３１において、静止画との関連が無いと判断される時は、線画の縁取りのみが行われる（ステップＳ２３２）。更に、ステップＳ２３０において、線画が無いと判断される時は、「選択できません」のメッセージが表示される（ステップＳ２３４）と共にファイル指定表示が消去される（ステップＳ２３５）。
【００８９】
図１１乃至図１３は、図１０に関連するプリント選択制御（ステップＳ２１：図９）に加え、転送選択制御（ステップＳ３１: 図９）を説明するフロー図である。図１１乃至図１３において、転送選択制御の場合は、音声データの転送出力も可能である。
【００９０】
従って、図１１は、図１０のフロー図にファイル番号が指定された場合は、当該ファイルに音声があるか否かのステップが追加されている（ステップＳ３３０、Ｓ３３１、Ｓ３３２）。図１１において、他のステップ処理は、図１０と同様であるので再度の説明は、省略する。
【００９１】
図１２は転送選択制御処理を中心とするフローの内容である。図１１における丸付き数字と図１２における同様の丸付き数字に対し処理が接続される。
【００９２】
図１２において、図１１の数字に続き、ファイルが指定されている場合は、ステップＳ２２９に続き、ファイルに音声があるか否かの判断、また個別に指定される場合は、ステップＳ２３９に続き、音声の有無あるいは、音声の指定の有無が判断される（ステップＳ３３３）。
【００９３】
ファイルに音声あり、あるいは音声が指定されている場合は、静止画との関係が判断される（ステップＳ３３４）。静止画との関係がある場合には、更に線画との関係の有無を判断する（ステップＳ３３５）。線画との関係もある場合には指定された音声は静止画及び線画とともに転送するかどうかを判断し（ステップＳ３３６）、共に転送する場合には静止画、線画及び音声の表示を縁取りする（ステップＳ３３７）。
【００９４】
更にステップＳ３３４において静止画との関係がない場合には線画との関係を判断する（ステップＳ３４０）。線画との関連がある場合には線画とともに転送するかを判断し（ステップＳ３４１）線画とともに転送する場合には線画と音声の縁取りを行う（ステップＳ３４２）。
【００９５】
更にステップＳ３４０において線画との関連が無い場合には音声のみを縁取りする（ステップＳ３４３）。更にステップＳ３３５に戻り、線画との関係の判断において、線画との関連がない場合には静止画とともに転送するか否かを判断する（ステップＳ３４４）。静止画とともに転送する場合は、静止画及び、音声を縁取りし（ステップＳ３４５）、静止画とともに転送しない場合には音声のみを縁取りする（ステップＳ３４６）。
【００９６】
同様にしてステップＳ３３６において静止画と線画とともに転送しない場合には静止画とともに転送するか否かを判断し（ステップＳ３４７）、静止画とともに転送する場合には静止画と音声を縁取りする（ステップＳ３４８）。更にステップＳ３４７において、静止画とともに転送しない場合には線画とともに転送するか否かを判断する（ステップＳ３４９）。
【００９７】
線画とともに転送する場合には線画と音声を縁取りする（ステップＳ３５０）。更に線画とともに転送しない場合には音声のみを縁取りする（ステップＳ３５１）。
【００９８】
図１１に戻りステップＳ３３０において音声が指示されている場合には静止画と線画と音声が縁取りされる（ステップＳ３５２：図１３）。更に図１１においてステップＳ３３１において音声指示がある場合には静止画と音声が縁取りされる（ステップＳ３５３：図１３）。更に図１１においてステップＳ３３２において音声指示がある場合には線画と音声の縁取りが行われる（ステップＳ３５４:図１３）。
【図面の簡単な説明】
【００９９】
【図１】本発明のデータ出力方法を適用するマルチメディア情報装置の一形態例の裏面斜視図である。
【図２】図１のマルチメディア情報装置の機能ブロック図である。
【図３】図１のＬＣＤ表示素子６に表示されるファイルの内容表示例である。
【図４】図３のＬＣＤ表示素子６の表示例に対し、出力指示の例を示す図である。
【図５】図４の出力指示を確認する図である。
【図６】本発明に従うプリント出力の処理フローの例である。
【図７】本発明に従う転送出力の処理フローの例である。
【図８】プリント出力及び転送出力の判断フローの一例である。
【図９】プリント出力及び転送出力の判断フローの他の例である。
【図１０】本発明に従うプリント出力指示に対する詳細処理フローである。
【図１１】本発明に従うプリント又は転送出力指示に対する詳細処理フロー（その１）である。
【図１２】本発明に従うプリント又は転送出力指示に対する詳細処理フロー（その２）である。
【図１３】本発明に従うプリント又は転送出力指示に対する詳細処理フロー（その３）である。
【符号の説明】
【０１００】
１ 電子カメラ
２ 電子カメラの裏面
３ ファインダ
４ 操作キー
５ スピーカ
６ ＬＣＤ表示素子
７ マイク
８ イヤフォンジャック
９ 入出力コネクタ
６０ タッチタブレット
１０ ＣＰＵ
１１ ＲＯＭ
１２ ＤＳＰ
１３ バッファメモリ
１４ メモリカード
１５ フレームメモリ
１６ Ａ／Ｄ−Ｄ／Ａ変換回路
３０ 撮像光学系
３１ ＣＣＤ
３２ 画像処理部
３３ Ａ／Ｄ変換回路
９０ 出力インタフェース
９１ プリンタ
９２ パーソナルコンピュータ
【図１】
2008092592.tif 000003
【図２】
2008092592.tif 000004
【図３】
2008092592.tif 000005
【図４】
2008092592.tif 000006
【図５】
2008092592.tif 000007
【図６】
2008092592.tif 000008
【図７】
2008092592.tif 000009
【図８】
2008092592.tif 000010
【図９】
2008092592.tif 000011
【図１０】
2008092592.tif 000012
【図１１】
2008092592.tif 000013
【図１２】
2008092592.tif 000014
【図１３】
2008092592.tif 000015
【手続補正書】
【提出日】平成19年11月26日(2007.11.26)
【手続補正１】
【補正対象書類名】特許請求の範囲
【補正対象項目名】全文
【補正方法】変更
【補正の内容】
【特許請求の範囲】
【請求項１】
被写体を撮像する撮像手段と、
前記撮像手段により撮像した複数の画像を記憶するための記憶手段と、
外部機器でプリント処理する対象となる画像を指定するか外部機器へ転送処理する対象となる画像を指定するかを選択する選択手段と、
前記選択手段による選択に応じて、前記記憶手段により記憶された複数の画像に対応する複数の縮小画像を一覧表示する表示手段と、
前記表示手段に表示された前記複数の縮小画像の一覧から、縮小画像を指示するための指示手段と、
前記指示手段により指示された縮小画像と、前記指示手段により指示されていない縮小画像とを識別可能に表示するように制御する表示制御手段と、
前記指示手段により指示された縮小画像に対応する画像を、前記選択手段による選択に応じた画像として確定する確定手段とを備えること
を特徴とする電子カメラ。
【請求項２】
請求項１に記載の電子カメラにおいて、
音声を入力する音声入力手段をさらに備え、
前記記憶手段は前記音声入力手段により入力された音声データを記憶し、
前記選択手段により外部機器でプリント処理する対象となる画像の指定が選択された場合、前記表示制御手段は前記指示手段により前記音声データは指示できないよう制御すること
を特徴とする電子カメラ。
【請求項３】
請求項２に記載の電子カメラにおいて、
前記表示制御手段は、前記記憶手段により記憶された前記音声データに対応するマークを、前記複数の縮小画像の一覧とともに表示し、
前記選択手段により外部機器でプリント処理する対象となる画像の指定が選択された場合、前記指示手段により前記音声データに対応するマークが指示されたときには警告をする警告手段をさらに備えること
を特徴とする電子カメラ。
【手続補正３】
【補正対象書類名】明細書
【補正対象項目名】０００１
【補正方法】変更
【補正の内容】
【０００１】
本発明は、電子カメラに関する。
【手続補正４】
【補正対象書類名】明細書
【補正対象項目名】０００８
【補正方法】変更
【補正の内容】
【０００８】
本発明の目的は、外部機器でプリントあるいは外部機器へ転送する対象となる画像を選択する場合の操作が簡略な電子カメラを提供することである。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項１に記載の電子カメラは、被写体を撮像する撮像手段と、前記撮像手段により撮像した複数の画像を記憶するための記憶手段と、外部機器でプリント処理する対象となる画像を指定するか外部機器へ転送処理する対象となる画像を指定するかを選択する選択手段と、前記選択手段による選択に応じて、前記記憶手段により記憶された複数の画像に対応する複数の縮小画像を一覧表示する表示手段と、前記表示手段に表示された前記複数の縮小画像の一覧から、縮小画像を指示するための指示手段と、前記指示手段により指示された縮小画像と、前記指示手段により指示されていない縮小画像とを識別可能に表示するように制御する表示制御手段と、前記指示手段により指示された縮小画像に対応する画像を、前記選択手段による選択に応じた画像として確定する確定手段とを備えることを特徴とする。
【手続補正７】
【補正対象書類名】明細書
【補正対象項目名】００１１
【補正方法】変更
【補正の内容】
【００１１】
請求項２に記載の電子カメラは、請求項１に記載の電子カメラにおいて、音声を入力する音声入力手段をさらに備え、前記記憶手段は前記音声入力手段により入力された音声データを記憶し、前記選択手段により外部機器でプリント処理する対象となる画像の指定が選択された場合、前記表示制御手段は前記指示手段により前記音声データは指示できないよう制御することを特徴とする。
【手続補正８】
【補正対象書類名】明細書
【補正対象項目名】００１２
【補正方法】変更
【補正の内容】
【００１２】
請求項３に記載の電子カメラは、請求項２に記載の電子カメラにおいて、前記表示制御手段は、前記記憶手段により記憶された前記音声データに対応するマークを、前記複数の縮小画像の一覧とともに表示し、前記選択手段により外部機器でプリント処理する対象となる画像の指定が選択された場合、前記指示手段により前記音声データに対応するマークが指示されたときには警告をする警告手段をさらに備えることを特徴とする。
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によれば、外部機器でプリントあるいは外部機器へ転送する対象となる画像を選択する場合の操作が簡略な電子カメラを提供することができる。